(57)【要約】【課題】撮影時に照射される放射線の単位時間当たりの照射量の変化が大きい場合でも、放射線の照射開始、放射線の照射終了、及び放射線の照射量の少なくとも２つの検出を安定して行える放射線撮影装置及び放射線撮影システムを提供する。【解決手段】放射線検出器６０と重なるように放射線に対する感度が異なる複数のセンサ部１４６を配置し、複数のセンサ部１４６を使い分けて放射線の照射開始、放射線の照射終了、及び放射線の照射量の少なくとも２つの検出を行う。【選択図】図４
2012040053.tif 000002
【特許請求の範囲】
【請求項１】
照射された放射線による放射線画像を撮影する撮影パネルと、
放射線に対する感度が異なり、前記撮影パネルと重なるように配置され、各々照射された放射線を検出する複数のセンサ部と、
前記複数のセンサ部を使い分けて放射線の照射開始、放射線の照射終了、及び放射線の照射量の少なくとも２つの検出を行う検出手段と、
を有する放射線撮影装置。
【請求項２】
前記検出手段は、感度の高いセンサ部を用いて放射線の照射開始の検出を行う
請求項１記載の放射線撮影装置。
【請求項３】
前記検出手段は、撮影条件に応じて放射線の照射終了、及び放射線の照射量の検出に用いるセンサ部を使い分ける
請求項１又は請求項２記載の放射線撮影装置。
【請求項４】
前記撮影条件には、静止画撮影又は透視撮影を指定する撮影モード、及び撮影部位が含まれ、
前記検出手段は、前記撮影モード及び撮影部位の少なくとも一方に応じて放射線の照射終了、及び放射線の照射量の検出に用いるセンサ部を使い分ける
請求項３記載の放射線撮影装置。
【請求項５】
前記検出手段は、前記撮影モードとして静止画撮影が指定された場合、感度の低いセンサ部を用いて放射線の照射終了及び放射線の照射量の検出を行い、前記撮影モードとして透視撮影が指定された場合、感度の高いセンサ部を用いて放射線の照射終了及び放射線の照射量の検出を行う、
請求項４記載の放射線撮影装置。
【請求項６】
前記検出手段は、前記撮影部位が胸部、腰椎の何れかである場合、感度の低いセンサ部を用いて放射線の照射終了及び放射線の照射量の検出を行う
請求項４又は請求項５記載の放射線撮影装置。
【請求項７】
前記複数のセンサ部は、同一支持体上に形成された
請求項１〜請求項６の何れか１項記載の放射線撮影装置。
【請求項８】
前記撮影パネルは、放射線を光に変換する変換層を有し、当該変換層で変換された光により表わされる放射線画像を撮影し、
前記複数のセンサ部は、各々有機光電変換材料を含んで構成され、前記撮影部の放射線の照射面側に配置され、前記変換層で変換された光を検出する
請求項１〜請求項７の何れか１項記載の放射線撮影装置。
【請求項９】
放射線を光に変換する平板状の変換層の撮影時に放射線が入射する一方の面に高感度のセンサ部を配置し、他方の面に低感度のセンサ部を配置した
請求項１〜請求項６の何れか１項記載の放射線撮影装置。
【請求項１０】
前記検出手段は、前記一方の面に配置された前記センサ部を放射線の照射開始の検出に用いる
請求項９記載の放射線撮影装置。
【請求項１１】
前記複数のセンサ部は、受光面積を変えることにより放射線に対する感度が異なる
請求項１〜請求項１０の何れか１項記載の放射線撮影装置。
【請求項１２】
前記複数のセンサ部は、並列に接続するセンサ部の個数を変えることにより放射線に対する感度が異なる
請求項１〜請求項１０の何れか１項記載の放射線撮影装置。
【請求項１３】
照射された放射線による放射線画像を撮影する撮影パネルと、
放射線に対する感度が異なり、前記撮影パネルと重なるように配置され、各々照射された放射線を検出する複数のセンサ部と、
前記複数のセンサ部を使い分けて放射線の照射開始、放射線の照射終了、及び放射線の照射量の少なくとも２つの検出を行う検出手段と、
を有する放射線撮影システム。
【発明の詳細な説明】
【技術分野】
【０００１】
本発明は、放射線撮影装置及び放射線撮影システムに係り、特に、放射線源から射出されて被検者を透過した放射線により示される放射線画像の撮影を行う放射線撮影装置及び放射線撮影システムに関する。
【背景技術】
【０００２】
近年、ＴＦＴ（Thin Film Transistor）アクティブマトリクス基板上に放射線感応層を配置し、放射線を直接デジタルデータに変換できるＦＰＤ（Flat Panel Detector）等の放射線検出器が実用化されており、この放射線検出器を用いて、照射された放射線により表わされる放射線画像を撮影する放射線撮影装置が実用化されている。この放射線検出器を用いた放射線撮影装置は、従来のＸ線フィルムやイメージングプレートを用いた放射線撮影装置に比べて、即時に画像を確認でき、連続的に放射線画像の撮影を行う透視撮影（動画撮影）も行うことができるといったメリットがある。
【０００３】
この種の放射線検出器は、種々のタイプのものが提案されており、例えば、放射線を一度ＣｓＩ：Ｔｌ、ＧＯＳ（Ｇｄ２Ｏ２Ｓ：Ｔｂ）などのシンチレータで光に変換し、変換した光をフォトダイオードなどのセンサ部で電荷に変換して蓄積する間接変換方式や、放射線をアモルファスセレン等の半導体層で電荷に変換する直接変換方式等があり、各方式でも半導体層に使用可能な材料が種々存在する。放射線撮影装置では、放射線検出器に蓄積された電荷を電気信号として読み出し、読み出した電気信号をアンプで増幅した後にＡ／Ｄ（アナログ／デジタル）変換部でデジタルデータに変換している。
【０００４】
ところで、放射線撮影装置では、放射線検出器とは別に放射線検出部を設けて放射線の照射の開始や終了、放射線の照射量を検出し、放射線を照射する放射線源の制御を行う技術が知られている
例えば、特許文献１には、放射線検出器（固体撮像装置と記載）とは別に、放射線を検出するセンサ部（放射線検出素子と記載）を設け、センサ部により放射線の出射の開始及び終了を検出して放射線検出器への電荷の蓄積、蓄積された電荷の読み出し制御する技術が開示されている。
【先行技術文献】
【特許文献】
【０００５】
【特許文献１】特開２００２−１８１９４２号公報
【発明の概要】
【発明が解決しようとする課題】
【０００６】
ところで、透視撮影では、放射線を照射しつつ連続的に放射線画像の撮影を行うため、患者の被曝が多くなる。また、透視撮影は、撮影部位内の変化を観察するため、静止画撮影ほど高画質である必要はない。
【０００７】
このため、透視撮影では、静止画撮影と比べて単位時間当たりの放射線の照射量を低下させており、例えば、静止画撮影と比較して１／１０程度としている。
【０００８】
このため、透視撮影では、放射線検出部により放射線の照射開始や照射終了、放射線の照射量を検出しようとした場合、センサ部は放射線に対する感度が高いことが好ましい。しかしながら、センサ部の放射線に対する感度を高くした場合、静止画撮影時などで照射される単位時間当たりの放射線の照射量が多い場合に、センサ部内で電荷が飽和してしまう場合がある。
【０００９】
本発明は上記事実に鑑みてなされたものであり、撮影時に照射される放射線の単位時間当たりの照射量の変化が大きい場合でも、放射線の照射開始、放射線の照射終了、及び放射線の照射量の少なくとも２つの検出を安定して行える放射線撮影装置及び放射線撮影システムを提供することを目的とする。
【課題を解決するための手段】
【００１０】
上記目的を達成するために、請求項１に記載の放射線撮影装置は、照射された放射線による放射線画像を撮影する撮影パネルと、放射線に対する感度が異なり、前記撮影パネルと重なるように配置され、各々照射された放射線を検出する複数のセンサ部と、前記複数のセンサ部を使い分けて放射線の照射開始、放射線の照射終了、及び放射線の照射量の少なくとも２つの検出を行う検出手段と、を有している。
【００１１】
請求項１によれば、照射された放射線による放射線画像を撮影する撮影パネルと重なるように放射線に対する感度が異なり、各々照射された放射線を検出する複数のセンサ部が配置されている。
【００１２】
そして、検出手段により、複数のセンサ部を使い分けて放射線の照射開始、放射線の照射終了、及び放射線の照射量の少なくとも２つの検出が行われる。
【００１３】
このように、請求項１に記載の発明によれば、撮影パネルと重なるように放射線に対する感度が異なる複数のセンサ部を配置し、複数のセンサ部を使い分けて放射線の照射開始、放射線の照射終了、及び放射線の照射量の少なくとも２つの検出を行うので、撮影時に照射される放射線の単位時間当たりの照射量の変化が大きい場合でも、放射線の照射開始、放射線の照射終了、及び放射線の照射量の少なくとも２つの検出を安定して行うことができる。
【００１４】
なお、本発明は、請求項２に記載の発明のように、前記検出手段が、感度の高いセンサ部を用いて放射線の照射開始の検出を行うことが好ましい。
【００１５】
また、請求項１又は請求項２に記載の発明は、請求項３に記載の発明のように、前記検出手段が、撮影条件に応じて放射線の照射終了、及び放射線の照射量の検出に用いるセンサ部を使い分けてもよい。
【００１６】
また、請求項３に記載の発明は、請求項４に記載の発明のように、前記撮影条件には、静止画撮影又は透視撮影を指定する撮影モード、及び撮影部位が含まれ、前記検出手段が、前記撮影モード及び撮影部位の少なくとも一方に応じて放射線の照射終了、及び放射線の照射量の検出に用いるセンサ部を使い分けてもよい。
【００１７】
また、請求項４に記載の発明は、請求項５に記載の発明のように、前記検出手段が、前記撮影モードとして静止画撮影が指定された場合、感度の低いセンサ部を用いて放射線の照射終了及び放射線の照射量の検出を行い、前記撮影モードとして透視撮影が指定された場合、感度の高いセンサ部を用いて放射線の照射終了及び放射線の照射量の検出を行ってもよい。
【００１８】
また、請求項４又は請求項５に記載の発明は、請求項６に記載の発明のように、前記検出手段が、前記撮影部位が胸部、腰椎の何れかである場合、感度の低いセンサ部を用いて放射線の照射終了及び放射線の照射量の検出を行ってもよい。
【００１９】
また、本発明は、請求項７に記載の発明のように、前記複数のセンサ部が、同一支持体上に形成されてもよい。
【００２０】
また、本発明は、請求項８に記載の発明のように、前記撮影パネルが、放射線を光に変換する変換層を有し、当該変換層で変換された光により表わされる放射線画像を撮影し、前記複数のセンサ部が、各々有機光電変換材料を含んで構成され、前記撮影部の放射線の照射面側に配置され、前記変換層で変換された光を検出してもよい。
【００２１】
また、請求項１〜請求項６に記載の発明は、請求項９に記載の発明のように、放射線を光に変換する平板状の変換層の撮影時に放射線が入射する一方の面に高感度のセンサ部を配置し、他方の面に低感度のセンサ部を配置してもよい。
【００２２】
また、請求項９に記載の発明は、請求項１０に記載の発明のように、前記検出手段が、前記一方の面に配置された前記センサ部を放射線の照射開始の検出に用いてもよい。
【００２３】
また、請求項１〜請求項１０に記載の発明は、請求項１１に記載の発明のように、前記複数のセンサ部が、受光面積を変えることにより放射線に対する感度が異なってもよい。
【００２４】
また、請求項１〜請求項１０に記載の発明は、請求項１２に記載の発明のように、前記複数のセンサ部が、並列に接続するセンサ部の個数を変えることにより放射線に対する感度が異なってもよい。
【００２５】
一方、上記目的を達成するために、請求項１３に記載の放射線撮影システムは、照射された放射線による放射線画像を撮影する撮影パネルと、放射線に対する感度が異なり、前記撮影パネルと重なるように配置され、各々照射された放射線を検出する複数のセンサ部と、前記複数のセンサ部を使い分けて放射線の照射開始、放射線の照射終了、及び放射線の照射量の少なくとも２つの検出を行う検出手段と、を有している。
【００２６】
従って、本発明によれば、撮影パネルと重なるように放射線に対する感度が異なる複数のセンサ部を配置し、複数のセンサ部を使い分けて放射線の照射開始、放射線の照射終了、及び放射線の照射量の少なくとも２つの検出を行うので、請求項１に記載の発明と同様に、撮影時に照射される放射線の単位時間当たりの照射量の変化が大きい場合でも、放射線の照射開始、放射線の照射終了、及び放射線の照射量の少なくとも２つの検出を安定して行うことができる。
【発明の効果】
【００２７】
本発明によれば、撮影時に照射される放射線の単位時間当たりの照射量の変化が大きい場合でも、放射線の照射開始、放射線の照射終了、及び放射線の照射量の少なくとも２つの検出を安定して行うことができる、という効果が得られる。
【図面の簡単な説明】
【００２８】
【図１】実施の形態に係る放射線情報システムの構成を示すブロック図である。
【図２】実施の形態に係る放射線画像撮影システムの放射線撮影室における各装置の配置状態の一例を示す側面図である。
【図３】実施の形態に係る電子カセッテの内部構成を示す透過斜視図である。
【図４】実施の形態に係る放射線検出器及び放射線検出部の構成を模式的に示した断面図である。
【図５】実施の形態に係る放射線検出器の薄膜トランジスタ及びコンデンサの構成を示した断面図である。
【図６】実施の形態に係るＴＦＴ基板の構成を示す平面図である。
【図７】第１の実施の形態に係る放射線検出部のセンサ部の配置構成を示す平面図である。
【図８】実施の形態に係る電子カセッテの電気系の要部構成を示すブロック図である。
【図９】実施の形態に係るコンソール及び放射線発生装置の電気系の要部構成を示すブロック図である。
【図１０】実施の形態に係る撮影制御プログラムの処理の流れを示すフローチャートである。
【図１１】同じ線量の放射線が照射された場合の高感度センサ部及び低感度センサ部から出力される電気信号の電圧レベルを示すグラフである。
【図１２】第２の実施の形態に係る放射線検出部のセンサ部の配置構成を示す平面図である。
【図１３】第３の実施の形態に係る放射線検出部の概略構成を示す断面図である。
【図１４】第４の実施の形態に係る放射線検出器及び放射線検出部の構成を模式的に示した断面図である。
【図１５】放射線が照射された際の累計値の変化を示すグラフである。
【図１６】他の形態に係る放射線検出部の概略構成を示す断面図である。
【図１７】他の形態に係る放射線検出器及び放射線検出部の構成を模式的に示した断面図
【図１８】放射線が照射された際のセンサ部から出力される電気信号のデジタルデータの値の変化を示すグラフである。
【発明を実施するための形態】
【００２９】
以下、図面を参照して、本発明を実施するための形態について詳細に説明する。なお、ここでは、本発明を、病院における放射線科部門で取り扱われる情報を統括的に管理するシステムである放射線情報システムに適用した場合の形態例について説明する。
【００３０】
［第１の実施の形態］
まず、図１を参照して、本実施の形態に係る放射線情報システム（以下、「ＲＩＳ（Radiology Information System）」と称する。）１０の構成について説明する。
【００３１】
ＲＩＳ１０は、放射線科部門内における、診療予約、診断記録等の情報管理を行うためのシステムであり、病院情報システム（以下、「ＨＩＳ（Hospital Information System）」と称する。）の一部を構成する。
【００３２】
ＲＩＳ１０は、複数台の撮影依頼端末装置（以下、「端末装置」と称する。）１２、ＲＩＳサーバ１４、及び病院内の放射線撮影室（あるいは手術室）の個々に設置された放射線画像撮影システム（以下、「撮影システム」と称する。）１８を有しており、これらが有線や無線のＬＡＮ（Local Area Network）等から成る病院内ネットワーク１６に各々接続されて構成されている。なお、ＲＩＳ１０は、同じ病院内に設けられたＨＩＳの一部を構成しており、病院内ネットワーク１６には、ＨＩＳ全体を管理するＨＩＳサーバ（図示省略。）も接続されている。
【００３３】
端末装置１２は、医師や放射線技師が、診断情報や施設予約の入力、閲覧等を行うためのものであり、放射線画像の撮影依頼や撮影予約もこの端末装置１２を介して行われる。各端末装置１２は、表示装置を有するパーソナル・コンピュータを含んで構成され、ＲＩＳサーバ１４と病院内ネットワーク１６を介して相互通信が可能とされている。
【００３４】
一方、ＲＩＳサーバ１４は、各端末装置１２からの撮影依頼を受け付け、撮影システム１８における放射線画像の撮影スケジュールを管理するものであり、データベース１４Ａを含んで構成されている。
【００３５】
データベース１４Ａは、患者（被検者）の属性情報（氏名、性別、生年月日、年齢、血液型、体重、患者ＩＤ（Identification）等）、病歴、受診歴、過去に撮影した放射線画像等の患者に関する情報、撮影システム１８で用いられる、後述する電子カセッテ３２の識別番号（ＩＤ情報）、型式、サイズ、感度、使用可能な撮影部位（対応可能な撮影依頼の内容）、使用開始年月日、使用回数等の電子カセッテ３２に関する情報、及び電子カセッテ３２を用いて放射線画像を撮影する環境、すなわち、電子カセッテ３２を使用する環境（一例として、放射線撮影室や手術室等）を示す環境情報を含んで構成されている。
【００３６】
撮影システム１８は、ＲＩＳサーバ１４からの指示に応じて医師や放射線技師の操作により放射線画像の撮影を行う。撮影システム１８は、放射線源１３０（図２も参照。）から曝射条件に従った線量とされた放射線Ｘ（図３も参照。）を被検者に照射する放射線発生装置３４と、被検者の撮影部位を透過した放射線Ｘを吸収して電荷を発生し、発生した電荷量に基づいて放射線画像を示す画像情報を生成する放射線検出器６０（図３も参照。）を内蔵する可搬型の放射線撮影装置（以下「電子カセッテ」ともいう。）３２と、電子カセッテ３２に内蔵されているバッテリを充電するクレードル４０と、電子カセッテ３２，放射線発生装置３４，及びクレードル４０を制御するコンソール４２と、を備えている。
【００３７】
コンソール４２は、ＲＩＳサーバ１４からデータベース１４Ａに含まれる各種情報を取得して後述するＨＤＤ１１０（図９参照。）に記憶し、当該情報に基づいて、電子カセッテ３２、放射線発生装置３４、及びクレードル４０の制御を行う。
【００３８】
図２には、本実施の形態に係る撮影システム１８の放射線撮影室４４における各装置の配置状態の一例が示されている。
【００３９】
同図に示すように、放射線撮影室４４には、立位での放射線撮影を行う際に用いられる立位台４５と、臥位での放射線撮影を行う際に用いられる臥位台４６とが設置されており、立位台４５の前方空間は立位での放射線撮影を行う際の被検者の撮影位置４８とされ、臥位台４６の上方空間は臥位での放射線撮影を行う際の被検者の撮影位置５０とされている。
【００４０】
立位台４５には電子カセッテ３２を保持する保持部１５０が設けられており、立位での放射線画像の撮影を行う際には、電子カセッテ３２が保持部１５０に保持される。同様に、臥位台４６には電子カセッテ３２を保持する保持部１５２が設けられており、臥位での放射線画像の撮影を行う際には、電子カセッテ３２が保持部１５２に保持される。
【００４１】
また、放射線撮影室４４には、単一の放射線源１３０からの放射線によって立位での放射線撮影も臥位での放射線撮影も可能とするために、放射線源１３０を、水平な軸回り（図２の矢印Ａ方向）に回動可能で、鉛直方向（図２の矢印Ｂ方向）に移動可能で、さらに水平方向（図２の矢印Ｃ方向）に移動可能に支持する支持移動機構５２が設けられている。ここで、支持移動機構５２は、放射線源１３０を水平な軸回りに回動させる駆動源と、放射線源１３０を鉛直方向に移動させる駆動源と、放射線源１３０を水平方向に移動させる駆動源を各々備えている（何れも図示省略。）。
【００４２】
一方、クレードル４０には、電子カセッテ３２を収納可能な収容部４０Ａが形成されている。
【００４３】
電子カセッテ３２は、未使用時にはクレードル４０の収容部４０Ａに収納された状態で内蔵されているバッテリに充電が行われ、放射線画像の撮影時には放射線技師等によってクレードル４０から取り出され、撮影姿勢が立位であれば立位台４５の保持部１５０に保持され、撮影姿勢が臥位であれば臥位台４６の保持部１５２に保持される。
【００４４】
ここで、本実施の形態に係る撮影システム１８では、放射線発生装置３４とコンソール４２とをそれぞれケーブルで接続して有線通信によって各種情報の送受信を行うが、図２では、放射線発生装置３４とコンソール４２を接続するケーブルを省略している。また、電子カセッテ３２とコンソール４２との間は、無線通信によって各種情報の送受信を行う。なお、放射線発生装置３４とコンソール４２の間の通信も無線通信によって通信を行うものとしてもよい。
【００４５】
なお、電子カセッテ３２は、立位台４５の保持部１５０や臥位台４６の保持部１５２で保持された状態のみで使用されるものではなく、その可搬性から、保持部に保持されていない状態で使用することもできる。
【００４６】
図３には、本実施の形態に係る電子カセッテ３２の内部構成が示されている。
【００４７】
同図に示すように、電子カセッテ３２は、放射線Ｘを透過させる材料からなる筐体５４を備えており、防水性、密閉性を有する構造とされている。電子カセッテ３２は、手術室等で使用されるとき、血液やその他の雑菌が付着するおそれがある。そこで、電子カセッテ３２を防水性、密閉性を有する構造として、必要に応じて殺菌洗浄することにより、１つの電子カセッテ３２を繰り返し続けて使用することができる。
【００４８】
筐体５４の内部には、放射線Ｘが照射される筐体５４の照射面５６側から、被検者を透過した放射線Ｘによる放射線画像を撮影する放射線検出器６０、照射された放射線の検出を行う放射線検出部６２が順に配設されている。
【００４９】
また、筐体５４の内部の一端側には、マイクロコンピュータを含む電子回路及び充電可能で、かつ着脱可能なバッテリ９６Ａを収容するケース３１が配置されている。放射線検出器６０、及び電子回路は、ケース３１に配置されたバッテリ９６Ａから供給される電力によって作動する。ケース３１内部に収容された各種回路が放射線Ｘの照射に伴って損傷することを回避するため、ケース３１の照射面５６側には鉛板等を配設しておくことが望ましい。なお、本実施の形態に係る電子カセッテ３２は、照射面５６の形状が長方形とされた直方体とされており、その長手方向一端部にケース３１が配置されている。
【００５０】
また、筐体５４の外壁の所定位置には、‘レディ状態’，‘データ送信中’といった動作モード、バッテリ９６Ａの残容量の状態等の電子カセッテ３２の動作状態を示す表示を行う表示部５６Ａが設けられている。なお、本実施の形態に係る電子カセッテ３２では、表示部５６Ａとして、発光ダイオードを適用しているが、これに限らず、発光ダイオード以外の発光素子や、液晶ディスプレイ、有機ＥＬディスプレイ等の他の表示手段としてもよい。
【００５１】
図４には、本実施形態に係る放射線検出器６０及び放射線検出部６２の構成を模式的に示した断面図が示されている。
【００５２】
放射線検出器６０は、絶縁性基板６４に薄膜トランジスタ（TFT：Thin Film Transistor、以下「ＴＦＴ」という）７０、及び蓄積容量６８が形成されたＴＦＴアクティブマトリクス基板（以下、「ＴＦＴ基板」という）６６を備えている。
【００５３】
このＴＦＴ基板６６上には、入射される放射線を光に変換するシンチレータ７１が配置される。
【００５４】
シンチレータ７１としては、例えば、ＣｓＩ：Ｔｌ、ＧＯＳ（Ｇｄ２Ｏ２Ｓ：Ｔｂ）を用いることができる。なお、シンチレータ７１は、これらの材料に限られるものではない。
【００５５】
絶縁性基板６４としては、光透過性を有し且つ放射線の吸収が少ないものであれば何れでもよく、例えば、ガラス基板、透明セラミック基板、光透過性の樹脂基板を用いることができる。なお、絶縁性基板６４は、これらの材料に限られるものではない。
【００５６】
ＴＦＴ基板６６には、シンチレータ７１によって変換された光が入射されることにより電荷を発生するセンサ部７２が形成されている。また、ＴＦＴ基板６６には、ＴＦＴ基板６６上を平坦化するための平坦化層６７が形成されている。また、ＴＦＴ基板６６とシンチレータ７１との間であって、平坦化層６７上には、シンチレータ７１をＴＦＴ基板６６に接着するための接着層６９が形成されている。
【００５７】
センサ部７２は、上部電極７２Ａ、下部電極７２Ｂ、及び該上下の電極間に配置された光電変換膜７２Ｃを有している。
【００５８】
光電変換膜７２Ｃは、シンチレータ７１から発せられた光を吸収し、吸収した光に応じた電荷を発生する。光電変換膜７２Ｃは、光が照射されることにより電荷を発生する材料により形成すればよく、例えば、アモルファスシリコンや有機光電変換材料などにより形成することができる。アモルファスシリコンを含む光電変換膜７２Ｃであれば、幅広い吸収スペクトルを持ち、シンチレータ７１による発光を吸収することができる。有機光電変換材料を含む光電変換膜７２Ｃであれば、可視域にシャープな吸収スペクトルを持ち、シンチレータ７１による発光以外の電磁波が光電変換膜７２Ｃに吸収されることがほとんどなく、Ｘ線等の放射線が光電変換膜７２Ｃで吸収されることによって発生するノイズを効果的に抑制することができる。
【００５９】
本実施の形態では、光電変換膜７２Ｃに有機光電変換材料を含んで構成する。有機光電変換材料としては、例えばキナクリドン系有機化合物及びフタロシアニン系有機化合物が挙げられる。例えばキナクリドンの可視域における吸収ピーク波長は５６０ｎｍであるため、有機光電変換材料としてキナクリドンを用い、シンチレータ７１の材料としてＣｓＩ（Ｔｉ）を用いれば、上記ピーク波長の差を５ｎｍ以内にすることが可能となり、光電変換膜７２Ｃで発生する電荷量をほぼ最大にすることができる。この光電変換膜７２Ｃとして適用可能な有機光電変換材料については、特開２００９−３２８５４号公報において詳細に説明されているため説明を省略する。
【００６０】
図５には、本実施の形態に係るＴＦＴ基板６６に形成されたＴＦＴ７０及び蓄積容量６８の構成が概略的に示されている。
【００６１】
絶縁性基板６４上には、下部電極７２Ｂに対応して、下部電極７２Ｂに移動した電荷を蓄積する蓄積容量６８と、蓄積容量６８に蓄積された電荷を電気信号に変換して出力するＴＦＴ７０が形成されている。蓄積容量６８及びＴＦＴ７０の形成された領域は、平面視において下部電極７２Ｂと重なる部分を有しており、このような構成とすることで、各画素部における蓄積容量６８及びＴＦＴ７０とセンサ部７２とが厚さ方向で重なりを有することとなり、少なく面積で蓄積容量６８及びＴＦＴ７０とセンサ部７２を配置できる。
【００６２】
蓄積容量６８は、絶縁性基板６４と下部電極７２Ｂとの間に設けられた絶縁膜６５Ａを貫通して形成された導電性材料の配線を介して対応する下部電極７２Ｂと電気的に接続されている。これにより、下部電極７２Ｂで捕集された電荷を蓄積容量６８に移動させることができる。
【００６３】
ＴＦＴ７０は、ゲート電極７０Ａ、ゲート絶縁膜６５Ｂ、及び活性層（チャネル層）７０Ｂが積層され、さらに、活性層７０Ｂ上にソース電極７０Ｃとドレイン電極７０Ｄが所定の間隔を開けて形成されている。また、放射線検出器６０では、活性層７０Ｂが非晶質酸化物により形成されている。活性層７０Ｂを構成する非晶質酸化物としては、Ｉｎ、Ｇａ及びＺｎのうちの少なくとも１つを含む酸化物（例えばＩｎ−Ｏ系）が好ましく、Ｉｎ、Ｇａ及びＺｎのうちの少なくとも２つを含む酸化物（例えばＩｎ−Ｚｎ−Ｏ系、Ｉｎ−Ｇａ系、Ｇａ−Ｚｎ−Ｏ系）がより好ましく、Ｉｎ、Ｇａ及びＺｎを含む酸化物が特に好ましい。Ｉｎ−Ｇａ−Ｚｎ−Ｏ系非晶質酸化物としては、結晶状態における組成がＩｎＧａＯ３（ＺｎＯ）ｍ（ｍは６未満の自然数）で表される非晶質酸化物が好ましく、特に、ＩｎＧａＺｎＯ４がより好ましい。
【００６４】
ＴＦＴ７０の活性層７０Ｂを非晶質酸化物で形成したものとすれば、Ｘ線等の放射線を吸収せず、あるいは吸収したとしても極めて微量に留まるため、ノイズの発生を効果的に抑制することができる。
【００６５】
ここで、ＴＦＴ７０の活性層７０Ｂを構成する非晶質酸化物や、光電変換膜７２Ｃを構成する有機光電変換材料は、いずれも低温での成膜が可能である。従って、絶縁性基板６４としては、半導体基板、石英基板、及びガラス基板等の耐熱性の高い基板に限定されず、プラスチック等の可撓性基板、アラミド、バイオナノファイバを用いることもできる。具体的には、ポリエチレンテレフタレート、ポリブチレンフタレート、ポリエチレンナフタレート等のポリエステル、ポリスチレン、ポリカーボネート、ポリエーテルスルホン、ポリアリレート、ポリイミド、ポリシクロオレフィン、ノルボルネン樹脂、ポリ（クロロトリフルオロエチレン）等の可撓性基板を用いることができる。このようなプラスチック製の可撓性基板を用いれば、軽量化を図ることもでき、例えば持ち運び等に有利となる。なお、絶縁性基板６４には、絶縁性を確保するための絶縁層、水分や酸素の透過を防止するためのガスバリア層、平坦性あるいは電極等との密着性を向上するためのアンダーコート層等を設けてもよい。
【００６６】
アラミドは、２００度以上の高温プロセスを適用できるために、透明電極材料を高温硬化させて低抵抗化でき、また、ハンダのリフロー工程を含むドライバＩＣの自動実装にも対応できる。また、アラミドは、ＩＴＯ（indium tin oxide）やガラス基板と熱膨張係数が近いため、製造後の反りが少なく、割れにくい。また、アラミドは、ガラス基板等と比べて薄く基板を形成できる。なお、超薄型ガラス基板とアラミドを積層して絶縁性基板６４を形成してもよい。
【００６７】
バイオナノファイバは、バクテリア(酢酸菌、Acetobacter Xylinum)が産出するセルロースミクロフィブリル束（バクテリアセルロース）と透明樹脂との複合したものである。セルロースミクロフィブリル束は、幅５０ｎｍと可視光波長に対して１／１０のサイズで、かつ、高強度、高弾性、低熱膨である。バクテリアセルロースにアクリル樹脂、エポキシ樹脂等の透明樹脂を含浸・硬化させることで、繊維を６０−７０％も含有しながら、波長５００nmで約９０％の光透過率を示すバイオナノファイバが得られる。バイオナノファイバは、シリコン結晶に匹敵する低い熱膨張係数（３−７ｐｐｍ）を有し、鋼鉄並の強度(４６０ＭＰa)、高弾性(３０ＧＰａ)で、かつフレキシブルであることから、ガラス基板等と比べて薄く絶縁性基板６４を形成できる。
【００６８】
図６には、本実施の形態に係るＴＦＴ基板６６の構成を示す平面図が示されている。
【００６９】
ＴＦＴ基板６６には、上述のセンサ部７２、蓄積容量６８、ＴＦＴ７０と、を含んで構成される画素７４が一定方向（図６の行方向）及び一定方向に対する交差方向（図６の列方向）に２次元状に複数設けられている。
【００７０】
また、放射線検出器６０には、一定方向（行方向）に延設され各ＴＦＴ７０をオン・オフさせるための複数本のゲート配線７６と、交差方向（列方向）に延設されオン状態のＴＦＴ７０を介して電荷を読み出すための複数本のデータ配線７８が設けられている。
【００７１】
放射線検出器６０は、平板状で平面視において外縁に４辺を有する四辺形状をしている。具体的には矩形状に形成されている。
【００７２】
本実施形態に係る放射線検出器６０は、図４に示すように、このようなＴＦＴ基板６６の表面にシンチレータ７１が貼り付けられて形成される。
【００７３】
シンチレータ７１は、例えば、ＣｓＩ：Ｔｌ等の柱状結晶で形成しようとする場合、蒸着基板７３への蒸着によって形成される。このように蒸着によってシンチレータ７１を形成する場合、蒸着基板７３は、Ｘ線の透過率、コストの面からＡｌの板がよく使用され、蒸着の際のハンドリング性、自重による反り防止、輻射熱による変形等からある程度（数ｍｍ程度）の厚みが必要となる。なお、シンチレータ７１としてＧＯＳを用いる場合、蒸着基板７３を用いずにＴＦＴ基板６６の表面にＧＯＳを塗布することにより、シンチレータ７１を形成してもよい。
【００７４】
このような放射線検出器６０のシンチレータ７１側の面には、放射線検出部６２が貼り付けられている。
【００７５】
放射線検出部６２は、例えば、樹脂性の支持基板１４０上に、後述する配線１６０（図８）がパターニングされた配線層１４２及び絶縁層１４４が形成されており、その上に、本発明の放射線を検出するための複数のセンサ部１４６が形成され、当該センサ部１４６上に、ＧＯＳ等からなるシンチレータ１４８が形成されている。センサ部１４６は、上部電極１４７Ａ、下部電極１４７Ｂ、及び該上下の電極間に配置された光電変換膜１４７Ｃを有している。光電変換膜１４７Ｃには、シンチレータ１４８によって変換された光が入射されることにより電荷を発生する。この光電変換膜１４７Ｃは、アモルファスシリコンを用いたＰＩＮ型、ＭＩＳ型フォトダイオードよりも、上述の有機光電変換材料が含有された光電変換膜が好ましい。これは、ＰＩＮ型フォトダイオードやＭＩＳ型フォトダイオードを用いた場合と比較して、製造コストの削減や、フレキシブル化への対応の点で有機光電変換材料が含有された光電変換膜を用いたほうが有利だからである。この放射線検出部６２のセンサ部１４６は、放射線検出器６０の各画素７４に設けられたセンサ部７２ほど細かく形成する必要はなく、放射線検出器６０の数十から数百画素のサイズで形成すればよい。
【００７６】
図７には、本実施の形態に係る放射線検出部６２のセンサ部１４６の配置構成を示す平面図が示されている。
【００７７】
放射線検出部６２には、受光面のサイズを変えることにより、放射線に対する感度の異なる２種類のセンサ部１４６が設けられている。サイズの大きいものが放射線に対する感度が高い高感度センサ部１４６Ａとされ、サイズの小さいものが放射線に対する感度が低い低感度センサ部１４６Ｂとされている。なお、高感度センサ部１４６Ａと低感度センサ部１４６Ｂを有機光電変換材料を用いて形成する場合、上部電極１４７Ａ、下部電極１４７Ｂ、及び該上下の電極間に配置された光電変換膜１４７Ｃをそれぞれのサイズで形成してもよく、また、光電変換膜１４７Ｃを一面に形成し、上部電極１４７Ａ又は下部電極１４７Ｂのうち電荷を取り出す側の電極のサイズをそれぞれのサイズで形成するようにしてもよい。すなわち、例えば、電荷を取り出す側の電極を下部電極１４７Ｂとした場合、上部電極１４７Ａ及び光電変換膜１４７Ｃを一面に形成し、下部電極１４７Ｂのサイズを高感度センサ部１４６Ａ又は低感度センサ部１４６Ｂのサイズで形成するようにしてもよい。
【００７８】
放射線検出部６２には、高感度センサ部１４６Ａと低感度センサ部１４６Ｂがそれぞれ一定方向（図７の行方向）及び一定方向に対する交差方向（図７の列方向）にマトリクス状の配置されており、行方向及び列方向に互いに半ピッチずつ配置位置をずらすことにより高感度センサ部１４６Ａと低感度センサ部１４６Ｂが交互にかつ重ならないように配置されている。
【００７９】
図８には、本実施の形態に係る電子カセッテ３２の電気系の要部構成を示すブロック図が示されている。
【００８０】
放射線検出器６０は、上述したように、センサ部７２、蓄積容量６８、ＴＦＴ７０を備えた画素７４がマトリクス状に多数個配置されており、電子カセッテ３２への放射線Ｘの照射に伴ってセンサ部７２で発生された電荷は、個々の画素７４の蓄積容量６８に蓄積される。これにより、電子カセッテ３２に照射された放射線Ｘに担持されていた画像情報は電荷情報へ変換されて放射線検出器６０に保持される。
【００８１】
また、放射線検出器６０の個々のゲート配線７６はゲート線ドライバ８０に接続されており、個々のデータ配線７８は信号処理部８２に接続されている。個々の画素７４の蓄積容量６８に電荷が蓄積されると、個々の画素７４のＴＦＴ７０は、ゲート線ドライバ８０からゲート配線７６を介して供給される信号により行単位で順にオンされ、ＴＦＴ７０がオンされた画素７４の蓄積容量６８に蓄積されている電荷は、アナログの電気信号としてデータ配線７８を伝送されて信号処理部８２に入力される。従って、個々の画素７４の蓄積容量６８に蓄積されている電荷は行単位で順に読み出される。
【００８２】
信号処理部８２は、個々のデータ配線７８毎に設けられた増幅器及びサンプルホールド回路を備えており、個々のデータ配線７８を伝送された電気信号は増幅器で増幅された後にサンプルホールド回路に保持される。また、サンプルホールド回路の出力側にはマルチプレクサ、Ａ／Ｄ（アナログ／デジタル）変換器が順に接続されており、個々のサンプルホールド回路に保持された電気信号はマルチプレクサに順に（シリアルに）入力され、Ａ／Ｄ変換器によってデジタルの画像データへ変換される。
【００８３】
信号処理部８２には画像メモリ９０が接続されており、信号処理部８２のＡ／Ｄ変換器から出力された画像データは画像メモリ９０に順に記憶される。画像メモリ９０は複数フレーム分の画像データを記憶可能な記憶容量を有しており、放射線画像の撮影が行われる毎に、撮影によって得られた画像データが画像メモリ９０に順次記憶される。
【００８４】
画像メモリ９０は電子カセッテ３２全体の動作を制御するカセッテ制御部９２と接続されている。カセッテ制御部９２はマイクロコンピュータを含んで構成されており、ＣＰＵ（中央処理装置）９２Ａ、ＲＯＭ（Read Only Memory）及びＲＡＭ（Random Access Memory）を含むメモリ９２Ｂ、ＨＤＤ（ハードディスク・ドライブ）やフラッシュメモリ等からなる不揮発性の記憶部９２Ｃを備えている。
【００８５】
また、カセッテ制御部９２には無線通信部９４が接続されている。本実施の形態に係る無線通信部９４は、ＩＥＥＥ（Institute of Electrical and Electronics Engineers）８０２．１１ａ／ｂ／ｇ等に代表される無線ＬＡＮ（Local Area Network）規格に対応しており、無線通信による外部機器との間での各種情報の伝送を制御する。カセッテ制御部９２は、無線通信部９４を介してコンソール４２と無線通信が可能とされており、コンソール４２との間で各種情報の送受信が可能とされている。
【００８６】
一方、放射線検出部６２は、上述したように、高感度センサ部１４６Ａ及び低感度センサ部１４６Ｂが交互にマトリクス状に多数個配置されている。また、放射線検出部６２には、高感度センサ部１４６Ａ及び低感度センサ部１４６Ｂとそれぞれ個別に接続された複数の配線１６０が設けられており、各配線１６０は信号検出部１６２に接続されている。
【００８７】
信号検出部１６２は、配線１６０毎に設けられた増幅器及びＡ／Ｄ変換器を備えており、カセッテ制御部９２と接続されている。信号検出部１６２は、カセッテ制御部９２からの制御により、所定の周期で各配線１６０のサンプリングを行って各配線１６０を伝送される電気信号をデジタルデータに変換し、変換したデジタルデータを順次、カセッテ制御部９２へ出力する。
【００８８】
また、電子カセッテ３２には電源部９６が設けられており、上述した各種回路や各素子（ゲート線ドライバ８０、信号処理部８２、画像メモリ９０、無線通信部９４、カセッテ制御部９２、信号検出部１６２等）は、電源部９６から供給された電力によって作動する。電源部９６は、電子カセッテ３２の可搬性を損なわないように、前述したバッテリ（二次電池）９６Ａを内蔵しており、充電されたバッテリ９６Ａから各種回路や各素子へ電力を供給する。なお、図８では、電源部９６と各種回路や各素子を接続する配線の図示を省略している。
【００８９】
図９には、本実施の形態に係るコンソール４２及び放射線発生装置３４の電気系の要部構成を示すブロック図が示されている。
【００９０】
コンソール４２は、サーバ・コンピュータとして構成されており、操作メニューや撮影された放射線画像等を表示するディスプレイ１００と、複数のキーを含んで構成され、各種の情報や操作指示が入力される操作パネル１０２と、を備えている。
【００９１】
また、本実施の形態に係るコンソール４２は、装置全体の動作を司るＣＰＵ１０４と、制御プログラムを含む各種プログラム等が予め記憶されたＲＯＭ１０６と、各種データを一時的に記憶するＲＡＭ１０８と、各種データを記憶して保持するＨＤＤ１１０と、ディスプレイ１００への各種情報の表示を制御するディスプレイドライバ１１２と、操作パネル１０２に対する操作状態を検出する操作入力検出部１１４と、を備えている。また、コンソール４２は、接続端子４２Ａ及び通信ケーブル３５を介して放射線発生装置３４との間で後述する曝射条件等の各種情報の送受信を行う通信インタフェース（Ｉ／Ｆ）部１１６と、電子カセッテ３２との間で無線通信により曝射条件や画像データ等の各種情報の送受信を行う無線通信部１１８と、を備えている。
【００９２】
ＣＰＵ１０４、ＲＯＭ１０６、ＲＡＭ１０８、ＨＤＤ１１０、ディスプレイドライバ１１２、操作入力検出部１１４、通信インタフェース部１１６、及び無線通信部１１８は、システムバスＢＵＳを介して相互に接続されている。従って、ＣＰＵ１０４は、ＲＯＭ１０６、ＲＡＭ１０８、ＨＤＤ１１０へのアクセスを行うことができると共に、ディスプレイドライバ１１２を介したディスプレイ１００への各種情報の表示の制御、通信Ｉ／Ｆ部１１６を介した放射線発生装置３４との各種情報の送受信の制御、及び無線通信部１１８を介した放射線発生装置３４との各種情報の送受信の制御を各々行うことができる。また、ＣＰＵ１０４は、操作入力検出部１１４を介して操作パネル１０２に対するユーザの操作状態を把握することができる。
【００９３】
一方、放射線発生装置３４は、放射線源１３０と、コンソール４２との間で曝射条件等の各種情報を送受信する通信Ｉ／Ｆ部１３２と、受信した曝射条件に基づいて放射線源１３０を制御する線源制御部１３４と、を備えている。
【００９４】
線源制御部１３４もマイクロコンピュータを含んで構成されており、受信した曝射条件等を記憶する。このコンソール４２から受信する曝射条件には管電圧、管電流の情報が含まれている。線源制御部１３４は、受信した曝射条件に基づいて放射線源１３０から放射線Ｘを照射させる。
【００９５】
次に、本実施の形態に係る撮影システム１８の作用を説明する。
【００９６】
本実施の形態に係る撮影システム１８は、１回ずつ撮影を行う静止画撮影と、連続的に撮影を行う透視撮影が可能とされており、撮影モードとして静止画撮影又は透視撮影が選択可能とされている。
【００９７】
端末装置１２（図１参照。）は、放射線画像の撮影する場合、医師又は放射線技師からの撮影依頼を受け付ける。当該撮影依頼では、撮影対象とする患者、撮影対象とする撮影部位、撮影モードが指定され、管電圧、管電流などが必要に応じて指定される。
【００９８】
端末装置１２は、受け付けた撮影依頼の内容をＲＩＳサーバ１４に通知する。ＲＩＳサーバ１４は、端末装置１２から通知された撮影依頼の内容をデータベース１４Ａに記憶する。
【００９９】
コンソール４２は、ＲＩＳサーバ１４にアクセスすることにより、ＲＩＳサーバ１４から撮影依頼の内容及び撮影対象とする患者の属性情報を取得し、撮影依頼の内容及び患者の属性情報をディスプレイ１００（図９参照。）に表示する。
【０１００】
撮影者は、ディスプレイ１００に表示された撮影依頼の内容に基づいて放射線画像の撮影を開始する。
【０１０１】
例えば、図２に示すように、臥位台４６上に横臥した被検者の患部の撮影を行う際、臥位台４６の保持部１５２に電子カセッテ３２を配置する。
【０１０２】
そして、撮影者は、操作パネル１０２に対して撮影モードとして静止画撮影又は透視撮影を指定し、さらに、操作パネル１０２に対して放射線Ｘを照射する際の管電圧及び管電流等を指定する。なお、撮影者は、透視撮影の場合、被検者の被曝を抑えるため、静止画撮影の場合と比べて単位時間当たりの放射線の照射量を低く指定する（例えば、静止画撮影の場合の１／１０程度）。
【０１０３】
ここで、放射線検出器６０は、Ｘ線が照射されていない状態であっても暗電流等によってセンサ部７２に電荷が発生して各画素７４の蓄積容量６８に電荷が蓄積される。
【０１０４】
このため、本実施の形態に係る電子カセッテ３２では、放射線画像の撮影を行う際に、放射線検出部６２により放射線の検出を行い、放射線を照射開始を検出すると放射線検出器６０の各画素７４の蓄積容量６８に蓄積された電荷を取り出して除去するリセット動作を行った後に撮影を開始する。
【０１０５】
また、本実施の形態に係る撮影システム１８では、撮影の際、放射線検出部６２により電子カセッテ３２に照射された放射線量を検出し、放射線源１３０からの放射線の照射を制御する自動照射制御（所謂ＡＥＣ（automatic exposure control））を行っている。具体的には、静止画撮影の場合、検出された放射線量が許容量となった場合に放射線源１３０からの放射線の照射終了及び放射線検出器６０から画像の読み出し開始し、透視撮影の場合、所定のフレームレートで連続的に撮影を行い、放射線検出部６２により検出された放射線量が許容量となった場合に放射線源１３０からの放射線の照射を終了させる。静止画撮影の許容量は、撮影部位の放射線画像が鮮明に撮るための適切な線量であり、透視撮影の許容量は、被検者の被曝を適切な範囲内に抑えるための線量であり、それぞれ目的が異なる。
【０１０６】
静止画撮影の許容量及び透視撮影の許容量は、それぞれ撮影の際に撮影者により操作パネル１０２から入力されもよい。また、撮影部位毎に、静止画撮影の許容量及び透視撮影の許容量を撮影部位別許容量情報としてＨＤＤ１１０に予め記憶しておき、撮影者が操作パネル１０２に対して撮影部位が指定を行い、撮影部位が指定された際に撮影部位別許容量情報から指定された撮影モード及び撮影部位に対応する許容量と得るものとしてもよい。また、透視撮影の許容量は、ＲＩＳサーバ１４のデータベース１４Ａに、患者毎に日別の被曝量を記憶しておき、ＲＩＳサーバ１４が所定期間（例えば、直近３ヶ月間）での被曝量の合計値から患者の許容される被曝量を求めて当該許容される被曝量を許容量としてコンソール４２へ通知されるものとしてもよい。
【０１０７】
コンソール４２は、指定された管電圧、管電流を曝射条件として放射線発生装置３４へ送信し、指定された撮影モード、管電圧、管電流、許容量を撮影条件として電子カセッテ３２へ送信する。放射線発生装置３４の線源制御部１３４は、コンソール４２から曝射条件を受信すると、受信した曝射条件を記憶し、電子カセッテ３２のカセッテ制御部９２は、コンソール４２から撮影条件を受信すると、受信した撮影条件を記憶部９２Ｃに記憶する。
【０１０８】
撮影者は、撮影準備完了すると、コンソール４２の操作パネル１０２に対して撮影を指示する撮影指示操作を行う。
【０１０９】
コンソール４２は、操作パネル１０２に対して撮影開始操作が行なわれた場合、曝射開始を指示する指示情報を放射線発生装置３４及び電子カセッテ３２へ送信する。
【０１１０】
放射線発生装置３４は、コンソール４２から受信した曝射条件に応じた管電圧、管電流で放射線の発生・射出を開始する。
【０１１１】
電子カセッテ３２のカセッテ制御部９２は、曝射開始を指示する指示情報を受信すると、記憶部９２Ｃに撮影条件として記憶された撮影モードに応じて撮影制御を行う。
【０１１２】
ところで、本実施の形態に係る電子カセッテ３２では、上述のように、放射線画像の撮影を行う際に、放射線検出部６２により放射線の検出を行い、放射線を照射開始を検出した場合にリセット動作を行った後に撮影を開始し、撮影中、電子カセッテ３２に照射された放射線量を検出している。
【０１１３】
放射線の照射開始をできるだけ早く検知してリセット動作に移行することは被検者への照射量を抑える(撮影に寄与しない照射を抑える)点で重要な課題であり、このためには放射線検出部６２のセンサ部１４６は高感度であることが好ましい。しかしながら、センサ部１４６の放射線に対する感度を高くした場合、撮影中に電荷が飽和してしまう場合がある。特に、静止画撮影では、透視撮影に比べて単位時間当たりの放射線の照射量が多いため、撮影中にセンサ部１４６で電荷が飽和してしまう場合がある。このようにセンサ部１４６で電荷が飽和してまった場合、照射された放射線量を正しく検出できなくなる。
【０１１４】
そこで、本実施の形態に係る電子カセッテ３２では、放射線検出部６２の高感度センサ部１４６Ａと低感度センサ部１４６Ｂを使い分けて、放射線の照射開始、及び放射線の照射量の検出を行っている。
【０１１５】
図１０にはカセッテ制御部９２のＣＰＵ９２Ａにより実行される撮影制御プログラムの処理の流れを示すフローチャートが示されている。なお、当該プログラムはメモリ９２Ｂ（ＲＯＭ）の所定の領域に予め記憶されている。
【０１１６】
同図のステップＳ１０では、信号検出部１６２を制御して各配線１６０のサンプリングを開始させる。
【０１１７】
これにより、信号検出部１６２は、所定の周期で各配線１６０のサンプリングを行って各配線１６０を伝送される電気信号をデジタルデータに変換し、変換したデジタルデータを順次、カセッテ制御部９２へ出力する。
【０１１８】
放射線検出部６２に設けられた高感度センサ部１４６Ａ及び低感度センサ部１４６Ｂには、放射線が照射されると電荷が発生する。発生した電荷は、それぞれ配線１６０に電気信号として流れ出す。高感度センサ部１４６Ａ及び低感度センサ部１４６Ｂは、受光面のサイズが異なるため、同じ線量の放射線が照射された場合でも発生する電荷量が異なり、図１１に示すように、高感度センサ部１４６Ａ及び低感度センサ部１４６Ｂから出力されて配線１６０に伝送される電気信号の電圧レベルが異なる。
【０１１９】
次のステップＳ１２では、信号検出部１６２から入力するデジタルデータのうち、高感度センサ部１４６Ａにより検出されたデジタルデータの値を、予め定めた放射線検知用の所定のしきい値と比較し、しきい値以上となった否かにより放射線の照射開始の検出を行っており、デジタルデータの値がしきい値以上となった場合は放射線の照射が開始されたものとしてステップＳ１４へ移行し、デジタルデータの値がしきい値未満の場合はステップＳ１２へ再度移行して、放射線の照射開始待ちを行う。
【０１２０】
次のステップＳ１４では、ゲート線ドライバ８０を制御してゲート線ドライバ８０から各ゲート配線７６にＴＦＴ７０をオン状態とさせる制御信号を出力させ、各ゲート配線７６に接続された各ＴＦＴ７０を１ラインずつ順にＯＮさせて電荷の取り出しを行う。これにより、１ラインずつ順に各画素７４の蓄積容量６８に蓄積された電荷が電荷信号として各データ配線７８に流れ出し、暗電流等によって各画素７４の蓄積容量６８に蓄積された電荷が除去される。
【０１２１】
次のステップＳ１６では、記憶部９２Ｃに記憶された撮影条件で撮影モードとして静止画撮影が指定されたか否かを判定し、肯定判定となった場合はステップＳ１８へ移行し、否定判定の場合（撮影モードとして透視撮影が指定された場合）はステップＳ３０へ移行する。
【０１２２】
ステップＳ１８では、ゲート線ドライバ８０を制御してゲート線ドライバ８０から各ゲート配線７６にＴＦＴ７０をオフ状態とさせる制御信号を出力させる。
【０１２３】
次のステップＳ２０では、信号検出部１６２から入力するデジタルデータのうち、低感度センサ部１４６Ｂにより検出されたデジタルデータの値を低感度センサ部１４６Ｂの感度に応じて補正し、補正した値を低感度センサ部１４６Ｂ毎にそれぞれ累計する。この累計値は、被検者の被曝量と見なすことができる。
【０１２４】
次のステップＳ２２では、何れかの低感度センサ部１４６Ｂの累計値が許容量以上となったか否かを判定し、肯定判定となった場合はステップＳ２４へ移行し、否定判定となった場合はステップＳ２０へ移行する。
【０１２５】
ステップＳ２４では、コンソール４２に対して曝者終了を指示する指示情報を送信する。
【０１２６】
コンソール４２は電子カセッテ３２から曝者終了を指示する指示情報を受信すると、曝射終了を指示する指示情報を放射線発生装置３４へ送信する。放射線発生装置３４は曝射終了を指示する指示情報を受信すると、放射線の照射を終了する。
【０１２７】
次のステップＳ２６では、ゲート線ドライバ８０を制御してゲート線ドライバ８０から１ラインずつ順に各ゲート配線７６にオン信号を出力させる。
【０１２８】
放射線検出器６０は、各ゲート配線７６に接続された各ＴＦＴ７０を１ラインずつ順にオンされると、１ラインずつ順に各蓄積容量６８に蓄積された電荷が電気信号として各データ配線７８に流れ出す。各データ配線７８に流れ出した電気信号は信号処理部８２でデジタルの画像データに変換されて、画像メモリ９０に記憶される。
【０１２９】
次のステップＳ２８では、画像メモリ９０に記憶された画像データをコンソール４２へ送信し、処理を終了する。
【０１３０】
一方、ステップＳ３０では、透視撮影のフレームレートに応じた撮影周期を求める。
【０１３１】
次のステップＳ３２では、信号検出部１６２から入力するデジタルデータのうち、低感度センサ部１４６Ｂにより検出されたデジタルデータの値を低感度センサ部１４６Ｂの感度に応じて補正し、補正した値を低感度センサ部１４６Ｂ毎にそれぞれ累計する。
【０１３２】
次のステップＳ３４では、何れかの低感度センサ部１４６Ｂの累計値が許容量以上となったか否かを判定し、肯定判定となった場合はステップＳ４２へ移行し、否定判定となった場合はステップＳ３６へ移行する。
【０１３３】
ステップＳ３６では、前回、放射線検出器６０の各画素７４の電荷の読み出しを行ってから撮影周期以上の期間を経過したか否かを判定し、肯定判定となった場合はステップＳ３８へ移行し、否定判定となった場合はステップＳ３２へ移行する。
【０１３４】
次のステップＳ３８では、ゲート線ドライバ８０を制御してゲート線ドライバ８０から１ラインずつ順に各ゲート配線７６にオン信号を出力させる。
【０１３５】
これにより、放射線検出器６０は、各ゲート配線７６に接続された各ＴＦＴ７０を１ラインずつ順にオンされ、１ラインずつ順に各蓄積容量６８に蓄積された電荷が電気信号として各データ配線７８に流れ出す。各データ配線７８に流れ出した電気信号は信号処理部８２でデジタルの画像データに変換されて、画像メモリ９０に記憶される。
【０１３６】
次のステップＳ４０では、画像メモリ９０に記憶された画像データをコンソール４２へ送信を行い、画像データの送信後、ステップＳ３２へ移行する。
【０１３７】
一方、ステップＳ４２では、コンソール４２に対して曝者終了を指示する指示情報を送信し、処理を終了する。
【０１３８】
放射線発生装置３４は、曝射終了を指示する指示情報を受信すると、放射線の発生・射出を終了する。なお、本実施の形態では、透視撮影中に、何れかの高感度センサ部１４６Ａの累計値が許容量となった場合に、透視撮影を停止する場合について説明したが、コンソール４２へ許容量を超えたことを通知して、コンソール４２で警告を表示させるものとしてもよい。また、コンソール４２が放射線発生装置３４へ管電圧、管電流の少なくとも一方を低下させた曝者条件を送信して放射線発生装置３４の放射線源１３０から照射される単位時間あたりの放射線量を低下させるようにしてもよい。
【０１３９】
コンソール４２は、電子カセッテ３２から画像情報を受信すると、受信した画像情報に対してシェーディング補正などの各種の補正する画像処理を行ない、画像処理後の画像情報をＨＤＤ１１０に記憶する。
【０１４０】
ＨＤＤ１１０に記憶された画像情報は、撮影した放射線画像の確認等のためにディスプレイ１００に表示されると共に、ＲＩＳサーバ１４に転送されてデータベース１４Ａにも格納される。これにより、医師が撮影された放射線画像の読影や診断等を行うことが可能となる。
【０１４１】
なお、低感度センサ部１４６Ｂにより検出されたデジタルデータの値の累計値は、被検者の被曝量と見なすことができる。このため、ＲＩＳサーバ１４のデータベース１４Ａに、患者毎に日別の被曝量を記憶させている場合、電子カセッテ３２は、コンソール４２を介してＲＩＳサーバ１４へ送信してデータベース１４Ａに記憶させる。このように患者毎に日別の被爆量を記憶管理することにより、特定期間の総被爆量の把握が可能となる。また、被爆量と撮影条件とを併せてデータベース１４Ａに記憶させてもよい。この場合、電子カセッテ３２が累計値（被爆量）をコンソール４２に転送し、コンソール４２が累計量（被爆量）と撮影条件を関連付けたデータとし、データベース１４Ｂに記憶させる。このように被爆量と撮影条件とを併せて記憶した場合、データベース１４Ｂの利用価値が一層高まる。
【０１４２】
以上のように、本実施の形態によれば、放射線に対する感度が異なる高感度センサ部１４６Ａ及び低感度センサ部１４６Ｂが形成された放射線検出部６２を放射線検出部６２と重なるように配置し、高感度センサ部１４６Ａ及び低感度センサ部１４６Ｂを使い分けて放射線の検出を行うことにより、撮影時に照射される放射線の単位時間当たりの照射量の変化が大きい場合でも、放射線の照射開始、放射線の照射量の検出を安定して行うことができる。
【０１４３】
また、本実施の形態によれば、高感度センサ部１４６Ａにより放射線の照射開始を検出を行うことにより、放射線の照射開始を速やかに検出でき、低感度センサ部１４６Ｂにより放射線の照射量の検出を行うことにより、放射線の照射量を安定して検出できる。
【０１４４】
また、本実施の形態によれば、高感度センサ部１４６Ａ及び低感度センサ部１４６Ｂを共に１つの支持基板１４０に形成しているので、放射線検出部６２の厚みを抑えることができる。
【０１４５】
さらに、本実施の形態によれば、センサ部１４６の受光面積を変えることにより放射線に対する感度を高感度センサ部１４６Ａ及び低感度センサ部１４６Ｂと変えており、形成する際に面積でセンサ部１４６の感度を容易に調整することができる。
【０１４６】
［第２の実施の形態］
次に、第２の実施の形態について説明する。
【０１４７】
第２の実施の形態に係るＲＩＳ１０、撮影システム１８、電子カセッテ３２、放射線検出器６０の構成は、上記第１の実施の形態（図１〜図６、図８〜図９参照）と同一であるので、ここでの説明は省略する。
【０１４８】
図１２には、第２の実施の形態に係る放射線検出部６２の概略構成を示す平面図が示されている。
【０１４９】
本実施の形態に係る放射線検出部６２は、同一形状のセンサ部１４６がマトリクス状に複数形成されており、配線１６０に並列に接続するセンサ部１４６の個数を変えることにより放射線に対する感度を変えており、図１２では、１本の配線１６０に並列に接続した６個のセンサ部１４６が高感度センサ部１４６Ａとして機能し、１本の配線１６０に並列に接続した２個のセンサ部１４６が低感度センサ部１４６Ｂとして機能する。
【０１５０】
以上のように、本実施の形態によれば、センサ部１４６を同一形状で形成できるため、センサ部１４６を容易に形成できる。配線１６０に並列に接続するセンサ部１４６の個数により、放射線に対する感度を変えることができる。
【０１５１】
［第３の実施の形態］
次に、第３の実施の形態について説明する。
【０１５２】
第３の実施の形態に係るＲＩＳ１０、撮影システム１８、電子カセッテ３２、放射線検出器６０の構成は、上記第１の実施の形態（図１〜図６、図８〜図９参照）と同一であるので、ここでの説明は省略する。
【０１５３】
図１３には、第３の実施の形態に係る放射線検出部６２の概略構成を示す断面図が示されている。
【０１５４】
本実施の形態に係る放射線検出部６２は、高感度センサ部１４６Ａと低感度センサ部１４６Ｂが別な支持基板１４０Ａ、１４０Ｂに形成されており、シンチレータ１４８の、撮影の際に放射線Ｘが入射する側の面１４８Ｂに低感度センサ部１４６Ｂが形成された支持基板１４０Ｂが設けられ、シンチレータ１４８の面１４８Ｂと反対側の面１４８Ａに高感度センサ部１４６Ａが形成された支持基板１４０Ａが設けられている。
【０１５５】
なお、本実施の形態では、高感度センサ部１４６Ａ及び低感度センサ部１４６Ｂのサイズを変えることにより感度を変えているが、第２の実施の形態のように、複数のセンサ部１４６を形成し、配線１６０に並列に接続するセンサ部１４６の個数を変えることにより放射線に対する感度を変えてもよい。
【０１５６】
シンチレータ１４８は、放射線Ｘが照射された場合、面１４８Ｂ側でより強く発光する。
【０１５７】
このため、本実施の形態によれば、低感度センサ部１４６Ｂをシンチレータ１４８の放射線Ｘが入射する面１４８Ｂ側に設けることより、低感度センサ部１４６Ｂでシンチレータ１４８で発生した光を精度良く検出できる。
【０１５８】
［第４の実施の形態］
次に、第４の実施の形態について説明する。
【０１５９】
第４の実施の形態に係るＲＩＳ１０、撮影システム１８、電子カセッテ３２、放射線検出器６０の構成は、上記第１の実施の形態（図１〜図６、図８〜図９参照）と同一であるので、ここでの説明は省略する。
【０１６０】
図１４には、第４の実施の形態に係る放射線検出器６０及び放射線検出部６２の構成を模式的に示した断面図が示されている。
【０１６１】
第２の実施の形態に係る放射線検出器６０は、シンチレータ７１が形成された蒸着基板７３が光透過性を有するものとされている。
【０１６２】
また、第２の実施の形態に係る放射線検出部６２は、シンチレータ１４８が設けられておらず、放射線検出器６０のＴＦＴ基板６６とは逆側の面（シンチレータ７１側の面）に貼り付けられている。
【０１６３】
第４の実施の形態に係る放射線検出部６２は、ＴＦＴ基板６６が筐体５４の照射面５６側となるように配置されており、ＴＦＴ基板６６側から撮影の際に放射線Ｘが入射する。
【０１６４】
このように、本実施の形態によれば、放射線検出部６２のシンチレータ７１に貼り付けることにより、シンチレータ１４８が不要となるため、放射線検出部６２をより薄く形成できる。
【０１６５】
また、放射線検出部６２を、撮影の際に放射線ＸがＴＦＴ基板６６側から入射するように配置し、シンチレータ７１のＴＦＴ基板６６とは逆側の面に放射線検出部６２を設けたことにより、放射線Ｘが放射線検出器６０を透過した後に放射線検出部６２を透過するため、放射線検出器６０で撮影される放射線画像に放射線検出部６２を設けたことによる影響が及ぶことを防ぐことができる。
【０１６６】
以上、本発明を第１〜第４の実施の形態を用いて説明したが、本発明の技術的範囲は上記各実施の形態に記載の範囲には限定されない。発明の要旨を逸脱しない範囲で上記各実施の形態に多様な変更または改良を加えることができ、当該変更または改良を加えた形態も本発明の技術的範囲に含まれる。
【０１６７】
また、上記の実施の形態は、クレーム（請求項）にかかる発明を限定するものではなく、また実施の形態の中で説明されている特徴の組み合わせの全てが発明の解決手段に必須であるとは限らない。前述した実施の形態には種々の段階の発明が含まれており、開示される複数の構成要件における適宜の組み合わせにより種々の発明を抽出できる。実施の形態に示される全構成要件から幾つかの構成要件が削除されても、効果が得られる限りにおいて、この幾つかの構成要件が削除された構成が発明として抽出され得る。
【０１６８】
例えば、上記各実施の形態では、可搬型の放射線撮影装置である電子カセッテ３２に本発明を適応した場合について説明したが、本発明はこれに限定されるものではなく、据置型の放射線撮影装置に適用してもよい。
【０１６９】
また、上記各実施の形態では、放射線の照射開始と放射線の照射量を検出する場合について説明したが、本発明はこれに限定されるものではない。例えば、放射線の照射終了の検出を行うものとしてもよい。放射線の照射終了は、図１８に示すように、信号検出部１６２から入力する各センサ部１４６のデジタルデータの値を、予め定めた放射線検知用の所定のしきい値と比較し、しきい値未満となった否かにより検出でき、また、各センサ部１４６のデジタルデータの値を累計している場合、図１５のＴ１に示すように、累計値の増加量が大きく減少する変曲点があった場合に照射終了と検出することもできる。
【０１７０】
また、高感度センサ部１４６Ａと低感度センサ部１４６Ｂを使い分けて放射線の照射開始、放射線の照射終了、及び放射線の照射量の検出を適宜並列に行うようにしてもよい。放射線の照射開始は、高感度センサ部１４６Ａを用いて検出することが好ましい。放射線の照射終了、及び放射線の照射量は、撮影オーダに応じて高感度センサ部１４６Ａと低感度センサ部１４６Ｂを使い分けてもよい。すなわち、例えば、透視撮影の場合は、撮影時に照射される放射線の単位時間当たりの照射量が少ないので、図１０に示した撮影制御プログラムのステップＳ３２において、信号検出部１６２から入力するデジタルデータのうち、高感度センサ部１４６Ａにより検出されたデジタルデータの値を高感度センサ部１４６Ａの感度に応じて補正し、補正した値を高感度センサ部１４６Ａ毎にそれぞれ累計し、ステップＳ３４において、何れかの高感度センサ部１４６Ａの累計値が許容量以上となったか否かを判定するようにしてもよい。
【０１７１】
また、撮影部位に応じて放射線の照射終了、及び放射線の照射量の検出に用いるセンサ武１４６を高感度センサ部１４６Ａと低感度センサ部１４６Ｂで使い分けてもよい。例えば、胸椎や腰椎などの撮影時に照射される放射線の単位時間当たりの照射量が多い撮影部位では、低感度センサ部１４６Ｂを用いて放射線の照射終了、及び放射線の照射量の検出を行うものとし、撮影時に照射される放射線の単位時間当たりの照射量が少ない撮影部位では、高感度センサ部１４６Ａを用いて放射線の照射終了、及び放射線の照射量の検出を行うものとしてもよい。
【０１７２】
また、上記第３の実施の形態では、図１３に示すように、シンチレータ１４８を挟んで高感度センサ部１４６Ａが形成された支持基板１４０Ａと、低感度センサ部１４６Ｂが形成された支持基板１４０Ｂを配置した場合について説明したが、本発明はこれに限定されるものではない。例えば、図１６に示すように、シンチレータ１４８の一方の面に、低感度センサ部１４６Ｂが形成された支持基板１４０Ｂと、高感度センサ部１４６Ａが形成された支持基板１４０Ａと、を重ねて配置してもよい。この場合、図１６に示すように、支持基板１４０Ａをシンチレータ１４８側に配置することが好ましい。このように高感度センサ部１４６Ａが形成された支持基板１４０Ａをシンチレータ１４８側に配置することにより、高感度センサ部１４６Ａと低感度センサ部１４６Ｂの感度の差異がより明確となる。また、放射線画像撮影用のシンチレータ７１の一方の面に、低感度センサ部１４６Ｂが形成された支持基板１４０Ｂと、高感度センサ部１４６Ａが形成された支持基板１４０Ａと、を重ねて配置してもよい。
【０１７３】
また、上記第３の実施の形態では、図１３に示すように、シンチレータ１４８を挟んで高感度センサ部１４６Ａが形成された支持基板１４０Ａと、低感度センサ部１４６Ｂが形成された支持基板１４０Ｂを配置した場合について説明したが、本発明はこれに限定されるものではない。例えば、シンチレータ１４８を挟んで配置された支持基板１４０Ａ及び支持基板１４０Ｂにそれぞれ高感度センサ部１４６Ａと低感度センサ部１４６Ｂを形成してもよい。
【０１７４】
また、上記第３の実施の形態では、図１３に示すように、シンチレータ１４８を挟んで支持基板１４０Ａと支持基板１４０Ｂを配置した場合について説明したが、本発明はこれに限定されるものではない。例えば、放射線画像撮影用のシンチレータ７１の両面にを挟んで支持基板１４０Ａと支持基板１４０Ｂを配置してもよい。シンチレータ７１は、感度や画質を向上させるためにシンチレータ１４８よりも厚く形成されるため、シンチレータ７１の、撮影の際に放射線Ｘが入射する側の面に高感度センサ部１４６Ａが形成された支持基板１４０Ａが設けられ、反対側の面に低感度センサ部１４６Ｂが形成された支持基板１４０Ｂが設けられることが好ましい。
【０１７５】
また、シンチレータ１４８を挟んでセンサ部１４６を形成し、放射線の照射開始、放射線の照射終了、及び放射線の照射量の検出を並列に行うようにした場合、シンチレータ１４８は放射線が入射する一方の面側が強く発光するため、放射線が入射する一方の面に配置されたセンサ部１４６を放射線の照射開始の検出に用いることが好ましい。
【０１７６】
また、上記第４の実施の形態では、図１４に示すように、シンチレータ１４８の無い放射線検出部６２を、放射線検出器６０のＴＦＴ基板６６とは逆側の面（シンチレータ７１側の面）に貼り付けた場合について説明したが、本発明はこれに限定されるものではない。例えば、ＴＦＴ基板６６が光透過性を有する場合、図１７に示すように、放射線検出器６０のＴＦＴ基板６６側の面に放射線検出部６２を貼り付けてもよい。放射線Ｘは、図１７の上方又は下方の何れから入射してもよいが、下方から入射する場合、放射線検出部６２のセンサ部１４６での放射線の吸収を抑えるため、センサ部１４６は有機光電変換材料が含有された光電変換膜で形成することが好ましい。
【０１７７】
また、上記各実施の形態では、放射線検出部６２に高感度センサ部１４６Ａと低感度センサ部１４６Ｂの２種類の感度のセンサ部１４６を設けた場合について説明したが、本発明はこれに限定されるものではない。例えば、放射線検出部６２に３種類以上の感度のセンサ部１４６を設け、使い分けるようにしてもよい。
【０１７８】
また、上記では、電子カセッテ３２のカセッテ制御部９２において放射線の照射開始、放射線の照射終了、及び放射線の照射量の検出を行う場合について説明したが、本発明はこれに限定されるものではない。例えば、カセッテ制御部９２が信号検出部１６２から入力するデジタルデータを随時コンソール４２へ送信するものとし、コンソール４２において放射線の照射開始、放射線の照射終了、及び放射線の照射量の検出を行うものとしてもよい。
【０１７９】
また、上記各実施の形態では、放射線としてＸ線を検出することにより放射線画像を撮影する放射線撮影装置に本発明を適用した場合について説明したが、本発明はこれに限定されるものではない。例えば、検出対象とする放射線は、Ｘ線の他や可視光、紫外線、赤外線、ガンマ線、粒子線等いずれであってもよい。
【０１８０】
その他、上記各実施の形態で説明した構成は一例であり、本発明の主旨を逸脱しない範囲内において、不要な部分を削除したり、新たな部分を追加したり、接続状態等を変更したりすることができることは言うまでもない。
【０１８１】
さらに、上記第１の実施の形態で説明した各種プログラムの処理の流れ（図１０参照。）も一例であり、本発明の主旨を逸脱しない範囲内において、不要なステップを削除したり、新たなステップを追加したり、処理順序を入れ換えたりすることができることは言うまでもない。
【符号の説明】
【０１８２】
１８    撮影システム
３２    電子カセッテ
４２    コンソール
６０    放射線検出器（撮影パネル）
６２    放射線検出部
７１    シンチレータ（変換層）
９２    カセッテ制御部（検出手段）
９２Ａ  ＣＰＵ
１４６  センサ部（センサ部）
１４６Ａ  高感度センサ部（センサ部）
１４６Ｂ  低感度センサ部（センサ部）
１４８    シンチレータ（変換層）
１６２  信号検出部
【図１】
2012040053.tif 000003
【図２】
2012040053.tif 000004
【図３】
2012040053.tif 000005
【図４】
2012040053.tif 000006
【図５】
2012040053.tif 000007
【図６】
2012040053.tif 000008
【図７】
2012040053.tif 000009
【図８】
2012040053.tif 000010
【図９】
2012040053.tif 000011
【図１０】
2012040053.tif 000012
【図１１】
2012040053.tif 000013
【図１２】
2012040053.tif 000014
【図１３】
2012040053.tif 000015
【図１４】
2012040053.tif 000016
【図１５】
2012040053.tif 000017
【図１６】
2012040053.tif 000018
【図１７】
2012040053.tif 000019
【図１８】
2012040053.tif 000020